(57)【要約】  この受信装置（１）は、整流素子（Ｑ９，Ｑ１０）を備えて入力された受信信号を整流する整流部（１０）と、整流素子の閾電圧に対応するバイアス電圧（Ｖ）を整流素子に間欠的に供給するバイアス供給部（Ｑ１−Ｑ８，Ｃ１−Ｃ４，１４，１５）と、整流部の出力に基づいて受信信号の有無を検出する検出部（１２，１３２，１３３）と、検出部が受信信号を検出したときバイアス電圧の供給を停止させる制御部（１３１）とを具備する。
2011121663.tif 000002
【特許請求の範囲】
【請求項１】
整流素子を備えて入力された受信信号を整流する整流部と、
前記整流素子の閾電圧に対応するバイアス電圧を前記整流素子に間欠的に供給するバイアス供給部と、
前記整流部の出力に基づいて前記受信信号の有無を検出する検出部と、
前記検出部が前記受信信号を検出したとき前記バイアス電圧の供給を停止させる制御部と
を具備したことを特徴とする受信装置。
【請求項２】
前記検出部は、
前記整流部の出力に基づいてデジタル信号を生成する比較部と、
前記デジタル信号を復号し、復号結果に基づいて前記受信信号の有無を判定する復調部と
を備えたことを特徴とする請求項１記載の受信装置。
【請求項３】
前記バイアス供給部は、
前記整流素子への前記バイアス電圧の供給を制御するスイッチ部と、
前記スイッチ部を制御するスイッチ信号を生成するスイッチ信号生成部と
を備え、
前記制御部は、
前記検出部が前記受信信号を検出した場合に前記スイッチ信号生成部を制御して前記スイッチ信号の生成を停止させること
を特徴とする請求項２記載の受信装置。
【請求項４】
前記スイッチ信号生成部は、前記スイッチ信号としてクロック信号を生成することを特徴とする請求項３記載の受信装置。
【請求項５】
前記スイッチ信号生成部が生成するクロック信号の周期は、前記受信信号に含まれるパケット信号の１パケットを伝送するのに要する時間よりも充分長いことを特徴とする請求項３記載の受信装置。
【請求項６】
前記整流素子が半導体素子であることを特徴とする請求項５記載の受信装置。
【請求項７】
ユーザの指示を受け付ける入力部と、
前記指示に基づいて信号を送信する送信部と
を有するリモート送信機と、
前記送信部が送信した信号を受信して復号し、該復号結果を出力する請求項４記載の受信装置と、
前記復号結果に基づいて電源の供給を制御する機器制御装置と
を有するリモート制御器と
を備えたことを特徴とするリモコンシステム。
【発明の詳細な説明】
【技術分野】
【０００１】
本発明は、無線信号を受信する受信装置に係わり、より具体的には、無線信号を整流して復号する受信装置に関する。
【背景技術】
【０００２】
無線信号を受信して信号を処理する受信装置において、信号検出のために整流器が広く用いられている。信号検出に整流器（整流回路）を用いた場合、簡易に低消費電力の無線通信を実現することができる。整流器を用いた受信装置の例としては、いわゆるＲＦＩＤタグが挙げられる。ＲＦＩＤタグは、リーダライタからの送信信号を整流して、ＲＦＩＤタグ自身の動作電力を得るとともに受信信号を復調している。【０００３】
このようなＲＦＩＤタグは、通常、ゲートとソースを直結したトランジスタを用いた整流回路を有している。しかし、トランジスタを用いた整流回路は、トランジスタが持つ閾電圧のため、微弱な信号を受信することができない。そこで、整流回路を構成するトランジスタのゲートとソースとの間に、当該トランジスタの閾電圧とほぼ等しいバイアス電圧を間欠的に印加する高感度整流器が提案されている（特許文献１）。特許文献１に示す整流器は、トランジスタの閾電圧の影響を小さくすることができるから、当該整流器を受信装置に適用した場合に微弱な信号を受信することが可能となる。【０００４】
しかし、特許文献１記載の整流回路は、スイッチを間欠的に動作させてバイアス電圧をトランジスタに与えるため、スイッチングノイズを発生する。すなわち、当該整流器を備えた受信装置は、スイッチングノイズの影響を受けるという問題があった。
【先行技術文献】
【特許文献】
【０００５】
【特許文献１】特開２００６−３４０８５公報
【発明の概要】
【発明が解決しようとする課題】
【０００６】
このように、従来の受信装置では、整流回路自身が発生するノイズの影響を受けるという問題があった。本発明はかかる問題を解決するためになされたもので、ノイズの影響を抑えた受信装置を提供することを目的とする。
【課題を解決するための手段】
【０００７】
上記した目的を達成するために、本発明の一つの態様に係る受信装置は、整流素子を備えて入力された受信信号を整流する整流部と、整流素子の閾電圧に対応するバイアス電圧を整流素子に間欠的に供給するバイアス供給部と、整流部の出力に基づいて受信信号の有無を検出する検出部と、検出部が受信信号を検出したときバイアス電圧の供給を停止させる制御部とを具備している。
【発明の効果】
【０００８】
本発明は、ノイズの影響を抑えた受信装置を提供することができる。
【図面の簡単な説明】
【０００９】
【図１】実施形態に係る受信装置の構成を示すブロック図である。
【図２】図１に示す受信装置の整流器の回路例を示す回路図である。
【図３】図２に示す整流器の動作タイミングを示す図である。
【図４】整流器のスイッチ動作時のノイズ特性を示すスペクトル図である。
【図５】整流器のスイッチ動作停止時のノイズ特性を示すスペクトル図である。
【図６】他の実施形態に係る受信装置の構成を示すブロック図である。
【図７】図１または図６に示す受信装置を適用したリモコンシステムの例を示すブロック図である。
【発明を実施するための形態】
【００１０】
（第１の実施形態）
以下、図面を参照して本発明の一つの実施形態について詳細に説明する。図１に示すように、この実施形態の受信装置１は、アンテナＡＮＴ、整流器１０、ベースバンド（ＢＢ）アンプ１１、比較器１２、信号処理部１３、ローカル発振器１４、および分周器１５を備えている。また、信号処理部１３は、クロック制御部１３１、信号検出部１３２、および電力検出部１３３を有している。
【００１１】
整流器１０は、アンテナＡＮＴから入力された受信信号を整流（検波）する。整流器１０は、例えば、整流ダイオードや整流トランジスタなどの半導体素子を有しており、当該半導体素子を用いて受信信号を包絡線検波してベースバンド信号を出力する。ＢＢアンプ１１は、整流器１０が整流して得たベースバンド信号を所定のレベルまで増幅するアンプである。後述するように、整流器１０は、外部からのクロック信号ＣＫ１およびＣＫ２を用いて、受信信号の検波感度を高める機能を有している。なお、整流器１０は、半導体素子により整流するものには限定されない。半導体素子でなくとも、整流機能をもつ整流素子を有するものであれば構わない。
【００１２】
比較器１２は、ＢＢアンプ１１が増幅したベースバンド信号からデジタル信号を生成する。具体的には、比較器１２は、ＢＢアンプ１１が増幅したベースバンド信号のレベルと所定の基準電圧源のレベルとを比較する。比較の結果、ベースバンド信号のレベルが基準電圧レベルよりも大きい場合、比較器１２は、ハイレベル信号を出力する。一方、ベースバンド信号のレベルが基準電圧レベル以下の場合、比較器１２は、ローレベル信号を出力する。その結果、比較器１２は、ハイレベル信号とローレベル信号とが組み合わされたデジタル信号を出力する。ハイレベル信号およびローレベル信号からなるデジタル信号は、信号処理部１３が両者を識別できる信号であれば、どのような電圧・諸元の信号であってもよい。
【００１３】
信号検出部１３２は、比較器１２が生成したデジタル信号を受け取って復号し、例えば受信信号のＩＤの比較などを行う。信号検出部１３２は、受信信号のＩＤが所定のＩＤと一致した場合、図示しない外部回路の起動など所定の信号処理を実行する。
【００１４】
ローカル発振器１４は、この受信装置の基準信号を生成する。基準信号は、たとえば比較器１２や信号処理部１３の処理タイミングを規定する基準信号のほか、整流器１０の感度を高めるためのスイッチ信号（クロック信号）をも生成している。分周器１５は、ローカル発振器１４が生成したクロック信号ＣＫを分周する。このとき、分周器１５は、後述するクロック制御部１３１からの指示に基づいて動作する。
【００１５】
電力検出部１３３は、ＢＢアンプ１１の増幅出力に基づいて、受信信号の電力を検出する。すなわち、電力検出部１３３は、ＢＢアンプ１１の増幅出力を監視し、受信信号の存在の有無を検知している。クロック制御部１３１は、電力検出部１３３の電力検出の結果などに基づき、分周器１５を制御して整流器１０へ与えられるクロック信号ＣＫ１およびＣＫ２の供給を制御する。
【００１６】
（整流器の構成）図２を参照して整流器１０の回路例を説明する。図２に示すように、この実施形態の整流器１０は、電圧源Ｖと、スイッチ信号としてのクロックＣＫ１によりオンオフ制御されるスイッチトランジスタＱ１ないしＱ４と、同じくスイッチ信号としてのクロックＣＫ２によりオンオフ制御されるスイッチトランジスタＱ５ないしＱ８と、整流用トランジスタＱ９およびＱ１０とを有している。
【００１７】
電圧源Ｖの正極および負極は、トランジスタＱ１およびＱ２のドレイン・ソースを介して、それぞれキャパシタＣ１の両端と接続されている。すなわち、トランジスタＱ１およびＱ２のゲートに与えられるクロック信号ＣＫ１によるトランジスタＱ１およびＱ２のオンオフにより、キャパシタＣ１の両端には電圧源Ｖが接続・切断される。同様に、電圧源Ｖの正極および負極は、トランジスタＱ３およびＱ４のドレイン・ソースを介して、キャパシタＣ２の両端とそれぞれ接続されている。すなわち、トランジスタＱ３およびＱ４のゲートに与えられるクロック信号ＣＫ１によるトランジスタＱ３およびＱ４のオンオフにより、キャパシタＣ２の両端には電圧源Ｖが接続・切断される。
【００１８】
キャパシタＣ１の両端は、トランジスタＱ５およびＱ６のドレイン・ソースを介して、キャパシタＣ３の両端と接続され、キャパシタＣ３の両端は、トランジスタＱ９のゲート・ソースとそれぞれ接続されている。トランジスタＱ１およびＱ２と同様に、クロック信号ＣＫ２によるトランジスタＱ５およびＱ６のオンオフにより、キャパシタＣ３の両端とキャパシタＣ１の両端との接続がオンオフされる。同様に、キャパシタＣ２の両端は、トランジスタＱ７およびＱ８のドレイン・ソースを介して、キャパシタＣ４の両端と接続され、キャパシタＣ４の両端は、トランジスタＱ１０のゲート・ソースとそれぞれ接続されている。トランジスタＱ５およびＱ６と同様に、クロック信号ＣＫ２によるトランジスタＱ７およびＱ８のオンオフにより、キャパシタＣ４の両端とキャパシタＣ２の両端との接続がオンオフされる。
【００１９】
トランジスタＱ９のソースとトランジスタＱ１０のドレインは互いに接続されており、その接続点にはキャパシタＣ５および受信信号入力端ＲＦＩＮを介してアンテナＡＮＴが接続されている。すなわち、アンテナＡＮＴからの受信信号は、トランジスタＱ９およびＱ１０の接続点に入力される。トランジスタＱ９のドレインおよびトランジスタＱ１０のソースは、それぞれ正負の整流出力端Ｄｔ＋ＯＵＴ・Ｄｔ−ＯＵＴとなる。負の整流出力端Ｄｔ−ＯＵＴは接地されてもよい。
【００２０】
図２において、クロック信号ＣＫ１およびＣＫ２は、それぞれ交互に供給されるよう構成される。すなわち、トランジスタＱ１ないしＱ４とトランジスタＱ５ないしＱ８とは、交互にオンになることになる。電圧源Ｖの電圧は、整流用トランジスタＱ９およびＱ１０の整流限界である閾電圧とほぼ同一に設定されている。そして、クロック信号ＣＫ１およびＣＫ２の制御により、トランジスタＱ１ないしＱ４とトランジスタＱ５ないしＱ８とが交互にオンになることで、電圧源Ｖの電位がキャパシタＣ１およびＣ２に転送され、次いでキャパシタＣ１およびＣ２の電位がそれぞれキャパシタＣ３およびＣ４に転送される。
【００２１】
キャパシタＣ３およびＣ４は、それぞれトランジスタＱ９およびＱ１０に閾電圧のバイアス電圧を供給する作用をする。この作用は、バイアス電圧を供給する電圧源による消費電力を低減しつつ、トランジスタＱ９およびＱ１０の閾電圧を見かけ上小さくする（＝整流感度を高くする）ことに寄与する。
【００２２】
なお、図２に示す整流器の例では、予め用意された電圧源Ｖの電位供給をスイッチ信号としてのクロック信号ＣＫ１およびＣＫ２により制御させているが、これには限定されない。クロック信号ＣＫ１およびＣＫ２のどちらか一方を、トランジスタＱ９およびＱ１０の閾電圧値相当の電圧をもつ信号として、そのまま整流器１０の整流トランジスタにバイアス電圧として供給するように構成してもよい。
【００２３】
（第１の実施形態の動作）
次に、この実施形態の受信装置の動作を説明する。
【００２４】
ローカル発振器１４は、所定のクロック信号ＣＫを生成する。図３に示す例では、ローカル発振器１４は、内部クロックとして、例えば３２ｋＨｚのクロック信号ＣＫを生成している。ローカル発振器１４は、生成したクロック信号ＣＫを、比較器１２、信号処理部１３、分周器１５などに供給する。
【００２５】
分周器１５は、クロック信号ＣＫを分周し、交互にオンとなるクロック信号ＣＫ１およびＣＫ２を生成して整流器１０に供給する。図３に示す例では、分周器１５は、クロック信号ＣＫを１６分周して２ｋＨｚのクロック信号ＣＫ１およびＣＫ２を生成し、整流器１０の端子ＣＫ１ＩＮおよびＣＫ２ＩＮに供給する。このとき、分周器１５は、クロック信号ＣＫ１およびＣＫ２の立ち上がるタイミングをクロック制御部１３１に送り、クロック制御部１３１は、送られたタイミングを記憶する。
【００２６】
整流器１０に与えられたクロック信号ＣＫ１およびＣＫ２により、トランジスタＱ１ないしＱ４およびトランジスタＱ５ないしＱ８は、交互にオン状態とオフ状態を繰り返している。電圧源Ｖの電位は、トランジスタＱ１ないしＱ４およびトランジスタＱ５ないしＱ８のオンオフによりキャパシタＣ３およびＣ４に転送され、トランジスタＱ９およびＱ１０のバイアス電圧となる。すなわち、トランジスタＱ９およびＱ１０は、キャパシタＣ３およびＣ４にバイアス電圧が転送される度に高感度状態となる。
【００２７】
トランジスタＱ９およびＱ１０は、キャパシタＣ５を介して受けた受信信号を整流し、得られたベースバンド信号をＢＢアンプ１１に送る。ＢＢアンプ１１は、受け取ったベースバンド信号を増幅して比較器１２および電力検出部１３３に送る。
【００２８】
比較器１２は、増幅されたベースバンド信号のレベルを所定の基準電圧源のレベルと比較し、比較結果に基づいてハイレベル信号およびローレベル信号が組み合わされたデジタル信号を生成する。生成されたデジタル信号は信号検出部１３２に送られる。
【００２９】
信号検出部１３２は、比較器１２が生成したデジタル信号を受け取って復号し、例えば受信信号のＩＤの比較などを行う。信号検出部１３２は、受信信号のＩＤが所定のＩＤと一致した場合、図示しない外部回路の起動など所定の信号処理を実行する。
【００３０】
一方、電力検出部１３３は、ＢＢアンプ１１から受け取るベースバンド信号を監視している。ベースバンド信号が存在する場合、すなわち、ＢＢアンプ１１からベースバンド信号が出力された場合、電力検出部１３３は、検出信号を生成してクロック制御部１３１に与える。
【００３１】
クロック制御部１３１は、信号検出部１３２および電力検出部１３３の動作を監視している。すなわち、クロック制御部１３１は、クロック信号ＣＫ１およびＣＫ２が立ち上がる数クロック前のタイミング（図３中破線矢印）で、整流器が信号待受け状態か、信号受信状態かを判定する。
【００３２】
信号検出部１３２および電力検出部１３３のいずれも動作していない場合、すなわち、受信信号の入力がない場合は、クロック制御部１３１は、分周器１５を制御してクロック信号ＣＫ１およびＣＫ２を生成（維持）させる。すなわち、クロック信号ＣＫ１およびＣＫ２の動作により、整流器１０の整流トランジスタの閾電圧に相当するバイアス電圧の供給が継続され、整流器の高感度状態が維持される。そして、整流器１０を高感度状態とすることで、受信装置１は、微弱受信信号の到来に備えることができる。なお、クロック信号ＣＫ１およびＣＫ２が供給されている時の整流器１０の出力信号は、スイッチングノイズによる影響を受けているから、信号検出部１３２は、比較器１２を経て受け取ったデジタル信号（ハイ／ローレベル信号の組合わせ）を復号せず無視してもよい。
【００３３】
信号検出部１３２および電力検出部１３３のどちらか一方が動作している場合、すなわち、信号検出部１３２が比較器１２からハイ／ローレベル信号からなるデジタル信号を受けているか、あるいは電力検出部１３３がＢＢアンプ１１から増幅出力を受け検出信号が生成されている場合、クロック制御部１３１は、分周器１５を制御してクロック信号ＣＫ１およびＣＫ２の生成を停止させる。また、信号検出部１３２が受け取った信号を復号しない状態にある場合には、クロック制御部１３１は、信号検出部１３２に受信状態への復帰を指示する。
【００３４】
クロック信号ＣＫ１およびＣＫ２の生成が止まると、整流器１０におけるバイアス電圧の供給が止まり、整流器１０はキャパシタＣ３およびＣ４に保持されたバイアス電圧によって高感度状態がしばらくの間維持される。一方、整流器１０へのクロック信号ＣＫ１およびＣＫ２の供給が止まることで、クロック信号に起因する整流器１０でのスイッチングノイズの発生が止まる。そして、受信信号に混入するノイズが減少し、信号検出部１３２は、エラーのない復号を行うことができる。
【００３５】
なお、クロック制御部１３１や信号検出部１３２の信号受信状態から待受け状態への遷移は、規定フォーマットの検出後や、規定時間経過後、エラー検知後など、信号検出部１３２が予め決められた受信信号の終端データなどを検出することによって移行することができる。
【００３６】
このように、この実施形態の受信装置では、受信信号が到来した場合、整流器の感度を高めるクロック信号を停止させるので、復号処理に影響を及ぼすクロックノイズを低減することができる。すなわち、簡易な方法により、受信装置の消費電力を抑えつつ、高感度化、低ノイズ化を図ることができる。
【００３７】
（整流器のノイズ）ここで、整流器１０に供給されるクロック信号ＣＫ１およびＣＫ２に起因するノイズについて具体的に説明する。
【００３８】
整流器１０は、前述の通り微小な受信信号を検出する。微小な信号を受信している時に、整流器１０に含まれるスイッチトランジスタＱ１ないしＱ８が動作した場合、例えば、トランジスタＱ５ないしＱ８の制御端子ＣＫ２ＩＮがローレベルからハイレベルへ変化したとすると、トランジスタＱ５ないしＱ８が持つゲート・ソース間容量等により、整流器トランジスタＱ９およびＱ１０へのバイアス電圧に過渡的な電圧変動が発生する。
【００３９】
この電圧変動は、スイッチングノイズとなって整流信号と共に出力端子Ｄｔ＋ＯＵＴ（およびＤｔ−ＯＵＴ）へ出力される。この状態では、比較器１２による微小な信号の検出は難しく、誤検出の原因となる。そこで、この実施形態の受信装置では、受信信号の入力状態であることが確認された場合、分周器１５の動作を停止させてクロック信号ＣＫ１およびＣＫ２の生成を止めている。すなわち、受信信号の復調の妨げとなるノイズ源を停止させる。一方、受信信号がなく受信待機状態の時には、整流器１０での整流感度を優先し、クロック信号ＣＫ１およびＣＫ２によるバイアス電圧供給を行う高感度状態へ移行する。
【００４０】
図４は、無信号入力時において、整流器１０のスイッチ（トランジスタＱ１ないしＱ８によるスイッチ）を動作させた状態における、整流器１０の出力ノイズを測定した結果である。図４に示すように、スイッチ周波数の２ｋＨｚを基本として、その逓倍の周波数の出力ノイズが０〜１００ｋＨｚの広い範囲で観測されている。
【００４１】
受信信号の周波数がこの周波数帯域にある場合、これらのスイッチングノイズが受信信号に妨害を与える事となり、受信特性が劣化してしまう。
【００４２】
図５は、無信号入力時において、整流器１０のスイッチを止めた状態における、整流器１０の出力ノイズを測定した結果である。図５に示すように、基本クロックの１６ｋＨｚおよびその高調波のノイズが観測されたものの、その他のスイッチングノイズは抑えられ、整流器トランジスタＱ９およびＱ１０自体のノイズ特性が観測されている。
【００４３】
これらの観測結果からもわかるように、この実施形態の受信装置によれば、信号受信状態においてスイッチノイズの影響が無くなるから、整流器の信号対ノイズ比が向上し、受信感度を向上することができる。
【００４４】
（整流器に供給するクロック信号）図１ないし３に示す例では、ローカル発振器１４が３２ｋＨｚの周波数のクロック信号ＣＫを生成し、分周器１５がクロック信号ＣＫを１６分周して２ｋＨｚのクロック信号ＣＫ１およびＣＫ２を生成している。整流器１０に与えるクロック信号ＣＫ１およびＣＫ２の周波数が高いほど、整流器１０が高感度状態となる期間が長くなるから、整流器の整流感度を高めることが可能となる。反面、高いクロック信号ＣＫ１およびＣＫ２は、整流器内でのスイッチングノイズを増加させることになる。そのため、クロック信号ＣＫ１およびＣＫ２は、できるだけ低い方がノイズ低減に効果がある。一方、クロック信号ＣＫ１およびＣＫ２の周波数が低すぎると、整流器１０の感度を高める期間が短くなるから、微弱な受信信号を捉えるタイミングが少なくなることになる。
【００４５】
この実施形態の受信装置では、整流器１０へのバイアス電圧の供給を、チャージしたコンデンサを用いて行っているから、整流出力がない信号待ち受け状態においては比較的長い時間バイアス電圧を維持することができる。例えば、クロック信号ＣＫ１およびＣＫ２の周期（スイッチトランジスタＱ１ないしＱ４およびトランジスタＱ５ないしＱ８の間欠動作の周期）は、受信信号に含まれるパケット信号の１パケット分の伝送時間よりも十分長くしておけば、スイッチングノイズを低く抑えることができる。
【００４６】
分周器１５の分周比は、基準となるクロック信号ＣＫの周波数と整流器１０におけるバイアス電圧印加のタイミングとを比較考量して決定すればよい。
【００４７】
（第２の実施形態）
続いて、他の実施形態に係る受信装置について説明する。
【００４８】
図６は、図１に示す実施形態に係る受信装置１の要素のうち、信号処理部１３の構成を変更したものである。そこで、図１に示す実施形態の受信装置と共通する要素については共通の符号を付して示し、重複する説明を省略する。
【００４９】
図６に示すように、この実施形態の信号処理部２３は、クロック制御部２３１、信号復調部２３４、記憶部２３６、フレームエッジ検出部２３２、電力検出部２３３、基準レベル供給部２３５を有している。クロック制御部２３１および電力検出部２３３は、図１に示すクロック制御部１３１および電力検出部１３３と共通の機能構成を有している。
【００５０】
フレームエッジ検出部２３２は、図１に示す信号検出部１３２と対応し、比較器１２が生成したデジタル信号から信号のエッジを検出する。フレームエッジ検出部２３２は、検出結果を信号復調部２３４に送る。
【００５１】
記憶部２３６は、例えば不揮発性メモリのようにデータを記憶可能なメモリであり、予め通信相手のＩＤが格納されている。信号復調部２３４は、フレームエッジ検出部２３２が検出した信号のエッジに基づいてデジタル信号を復号し、記憶部２３６に記憶された通信相手のＩＤと比較する。信号復調部２３４は、復号したデジタル信号から得られたＩＤと記憶部２３６とが一致した場合、当該ＩＤおよびＩＤに付随した制御信号を出力端子ＯＵＴへ出力する。併せて、信号復調部２３４は、クロック制御部２３１にクロック信号ＣＫ１およびＣＫ２の停止を指示する機能を持っている。
【００５２】
基準レベル供給部２３５は、例えば不揮発性メモリのように、所定の信号レベル（電圧レベル）をアナログ値またはデジタル値として記憶可能なメモリである。基準レベル供給部２３５は、電力検出部２３３が受信信号の有無を判定するための基準レベルを電力検出部２３３に与える。
【００５３】
次に、図６に示す実施形態に係る受信装置の動作を説明する。図６に示す受信装置では、整流器１０がアンテナＡＮＴからの受信信号を整流してから比較器１２が比較信号を出力するまでは、図１に示す受信装置と動作が共通している。そこで、以下の説明においては、重複する説明を省略する。
【００５４】
比較器１２は、増幅されたベースバンド信号のレベルを所定の基準電圧源のレベルと比較し、比較結果に基づいてハイレベル信号とローレベル信号とが組み合わされたデジタル信号を生成する。生成されたデジタル信号はフレームエッジ検出部２３２に送られる。
【００５５】
フレームエッジ検出部２３２は、比較器１２が生成したデジタル信号を受け取って信号のエッジを検出し、検出結果を信号復調部２３４に送る。
【００５６】
信号復調部２３４は、フレームエッジ検出部２３２の検出結果に基づいてデジタル信号を復号し、記憶部２３６に記憶された通信相手のＩＤと比較する。復号したデジタル信号から得られたＩＤと記憶部２３６に記憶されたＩＤとが一致した場合、信号復調部２３４は、当該ＩＤおよびＩＤに付随した制御信号を出力端子ＯＵＴへ出力するとともに、クロック制御部２３１にクロック信号ＣＫ１およびＣＫ２の供給停止を指示する。
【００５７】
停止指示を受けると、クロック制御部２３１は、分周器１５を制御してクロック信号ＣＫ１およびＣＫ２の供給を停止する。
【００５８】
復号したデジタル信号から得られたＩＤと記憶部２３６に記憶されたＩＤとが一致しない場合、信号復調部２３４は、クロック制御部２３１にクロック信号ＣＫ１およびＣＫ２の供給を指示する。
【００５９】
供給指示を受けると、クロック制御部２３１は、分周器１５を制御してクロック信号ＣＫ１およびＣＫ２を供給する。
【００６０】
一方、電力検出部２３３は、ＢＢアンプ１１から受け取るベースバンド信号を監視している。ＢＢアンプ１１から信号を受けた場合、電力検出部２３３は、ＢＢアンプ１１からの信号のレベルと基準レベル供給部２３５から与えられた基準レベルとを比較する。
【００６１】
ＢＢアンプ１１からの信号のレベルが基準レベル供給部２３５から与えられた基準レベルを越えた場合、電力検出部２３３は、ベースバンド信号が存在すると判定し、信号復調部２３４にトリガ信号を送る。
【００６２】
トリガ信号を受けると、クロック制御部２３１は、分周器１５を制御してクロック信号ＣＫ１およびＣＫ２の供給を停止する。
【００６３】
また、ＢＢアンプ１１からの信号のレベルが基準レベル供給部２３５から与えられた基準レベル以下の場合、電力検出部２３３は、ベースバンド信号が存在しないと判定し、信号復調部２３４へのトリガ信号送出を停止する。
【００６４】
トリガ信号の送出が止まると、クロック制御部２３１は、分周器１５を制御してクロック信号ＣＫ１およびＣＫ２を供給する。
【００６５】
このように、この実施形態の受信装置においても、クロック信号ＣＫ１およびＣＫ２の動作により、整流器１０の半導体素子（整流トランジスタ）の閾電圧に相当するバイアス電圧の供給が継続され、整流器の高感度状態が維持される。そして、整流器１０を高感度状態とすることで、受信装置２は、微弱受信信号の到来に備えることができる。
【００６６】
続いて、図７を参照してさらに他の実施形態に係るリモコンシステムについて説明する。この実施形態に係るリモコンシステムは、図１または図６に示す実施形態の受信装置を遠隔制御装置に適用したものである。
【００６７】
図７に示すように、この実施形態のリモコンシステム３は、スイッチ部３１１および送信部３１２を有するリモコン３１と、受信部３２１、機器制御部３２２および電源供給部３２３を有する制御装置３２とを備えている。
【００６８】
スイッチ部３１１は、スイッチおよび信号生成回路を有しており、ユーザの指示を受け付けるインタフェースの作用をする。送信部３１２は、例えば２．４ＧＨｚ帯の電波を送信する送信回路を有しており、スイッチ部３１１からの信号に基づいてオンオフキーイング変調された無線信号を送信する。
【００６９】
受信部３２１は、例えば図１や図６に示す受信装置と同様の構成を有しており、受信信号をデジタル信号に復号して出力する。
【００７０】
機器制御部３２２は、受信部３２１からのデジタル信号に基づいて、電源供給部３２３からの電源供給をオンオフする。例えば、機器制御部３２２は、受信部３２１からのデジタル信号が電源オン制御を示すものであれば電源供給をオンとし、同じく電源オフ制御を示すものであれば電源供給をオフとする。
【００７１】
電源供給部３２３は、例えばＡＣ１００Ｖなどの電源であり、機器制御部３２２を介して出力端ＰＷＲＯＵＴに出力する。
【００７２】
ユーザがスイッチ部３１１を操作して電源オンを指示すると、スイッチ部３１１は、電源オン制御を示す信号を生成して送信部３１２に送る。送信部３１２は、スイッチ部３１１から送られた信号を無線信号としてアンテナＡＮＴ１を介して送信する。
【００７３】
ＡＮＴ２を通じて受信した受信信号は、受信部３２１に送られる。受信部３２１は、受信信号を復号し、得られた電源オン制御を示すデジタル信号を機器制御部３２２に与える。受信部３２１からのデジタル信号を受けると、機器制御部３２２は、電源供給部３２３の電源供給をオンとする。
【００７４】
ユーザが電源オフを指示した場合も同様であり、受信部３２１からのデジタル信号に基づいて、機器制御部３２２は、電源供給部３２３からの電源供給をオフとする。
【００７５】
この実施形態のリモコンシステムでは、出力端ＰＷＲＯＵＴから出力される電源供給を、リモコン３１からの指示によって制御できるので、出力端ＰＷＲＯＵＴに接続された機器（図示せず）の待機電力を最小限にすることができる。
【００７６】
また、リモコンと制御装置との間の距離が離れている場合、受信信号の復号品質を考慮すると、受信部３２１の低ノイズ化が重要である。この実施形態のリモコンシステムでは、図１や図６に示す受信装置を受信部３２１として適用しているから、リモコン制御の長距離化、低消費電力化を容易に実現することができる。
【００７７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【産業上の利用可能性】
【００７８】
本発明は、電気機器製造業などに利用することができる。
【符号の説明】
【００７９】
１…受信装置、１０…整流器、１１…ベースバンドアンプ、１２…比較器、１３…信号処理部、１４…ローカル発振器、１５…分周器、ＡＮＴ…アンテナ。
【図１】
2011121663.tif 000003
【図２】
2011121663.tif 000004
【図３】
2011121663.tif 000005
【図４】
2011121663.tif 000006
【図５】
2011121663.tif 000007
【図６】
2011121663.tif 000008
【図７】
2011121663.tif 000009
【国際調査報告】
2011121663.tif 000010
2011121663.tif 000011
2011121663.tif 000012
2011121663.tif 000013